(57)【要約】【課題】  ボルトに螺着したナットの離脱を防止する機能を備えたボルトユニットを提供する。【解決手段】  ボルトユニット１は、ボルト２と嵌入体３を備えており、ボルト２の後端面５から軸方向に向かって設けた嵌入孔４と、その嵌入孔４の孔縁部で後端面５から軸方向に所定間隔で形成した複数の短いスリット７を有し、嵌入体３は前記嵌入孔４に嵌入可能な軸部１０と、軸部１０の端部に設けた頭部１１を有し、軸部１０から頭部１１に連続する部分の外周に後端テーパ部１３が形成され、ボルト２にその後端面５からナット６を螺着した状態で、嵌入体３の軸部１０を嵌入孔４に圧入し、後端テーパ部１３で後端面５を半径方向に拡開することによってナット６の離脱を防止する。【選択図】        図１
2005325948.tif 000002
【特許請求の範囲】
【請求項１】
ボルト２と嵌入体３を備えたボルトユニットであって、
前記ボルト２は、その後端面５から軸方向に向かって設けた嵌入孔４と、その嵌入孔４の孔縁部で前記後端面５から軸方向に所定間隔で形成した複数の短いスリット７を有し、  前記嵌入体３は、前記嵌入孔４に嵌入可能な軸部１０と、その軸部１０の端部に設けた頭部１１を有し、さらに軸部１０から頭部１１に連続する部分の外周に後端テーパ部１３が形成され、
前記ボルト２にその後端面５からナット６を螺着した状態で、前記嵌入体３の軸部１０を前記嵌入孔４に圧入し、前記後端テーパ部１３で後端面５を半径方向に拡開する塑性変形によって前記ナット６の離脱を防止するように構成したことを特徴とするボルトユニット。
【請求項２】
請求項１において、
前記ボルト２は拡大頭部２ｂを有するボルト、後付アンカーボルトまたは埋込アンカーボルトであることを特徴とするボルトユニット。
【請求項３】
請求項２において、
ボルト２が後付アンカーボルトの場合、前記嵌入孔４はボルト２を軸方向に貫通すると共に、その先端部の内直径が他の部分のそれより小に形成されると共に、ボルト２の先端部８に所定間隔で複数のスリット９が形成され、前記嵌入体３の先端部が先端テーパ部１２に形成され、前記嵌入体３を嵌入孔４に嵌入した際に、前記先端テーパ部１２でボルト２の先端部８を半径方向に拡大するように構成したことを特徴とするボルトユニット。
【請求項４】
請求項１ないし請求項３のいずれかにおいて、前記嵌入体３の後端テーパ部１３に前記ボルト２の後端面５に形成した各スリット７に嵌入する複数の突条部１３ａが形成されていることを特徴とするボルトユニット。
【発明の詳細な説明】
【技術分野】
【０００１】
本発明はボルトに螺着したナットの離脱防止手段を設けたボルトユニットに関する。
【背景技術】
【０００２】
一般的なボルトは軸部と拡大頭部を有し、ナットと組み合わせて２つの部材を接合する場合などに使用される。またボルトには後付アンカーボルトや埋込アンカーボルトなどもある。これらのボルトに螺着したナットは、使用中に外部振動で離脱したり悪戯などによりボルトから離脱させられることがある。
【発明の開示】
【発明が解決しようとする課題】
【０００３】
このようなナットの離脱は重大事故に繋がる場合があるので、悪戯にも耐える有効な離脱防止対策が望まれている。そこで本発明はボルトに螺着したナットの確実なる離脱防止手段を設けたボルトユニットを提供することを課題とする。
【課題を解決するための手段】
【０００４】
前記課題を解決するための本発明のボルトユニットは、ボルトと嵌入体を備えたボルトユニットであって、前記ボルトはその後端面から軸方向に向かって形成した嵌入孔と、その嵌入孔の孔縁部における後端面から軸方向に所定間隔で形成した複数の短いスリットを有し、前記嵌入体は前記嵌入孔に嵌入可能な軸部と、その軸部の後端部に設けた頭部を有し、軸部から頭部に連続する部分の外周に後端テーパ部が形成され、前記ボルトにその後端面からナットを螺着した状態で、前記嵌入体の軸部を前記嵌入孔に圧入し、前記後端テーパ部で嵌入孔の孔縁部を半径方向に拡開する塑性変形によって前記ナットの離脱を防止するように構成したことを特徴とする（請求項１）。
【０００５】
上記ボルトユニットは拡大頭部を有するボルト、後付アンカーボルトまたは埋込アンカーボルトに適用できる（請求項２）。
【０００６】
上記ボルトが後付アンカーボルトの場合、前記嵌入孔はボルトを軸方向に貫通して設けられ、その先端部の内直径がそれ以外の部分の内直径より小に形成され、ボルトの先端部に所定間隔で複数のスリットが形成され、前記嵌入体の先端部に先端テーパ部が設けられ、前記嵌入体を嵌入孔に圧入した際に、前記先端テーパ部でボルトの先端部を半径方向に拡大するように構成できる（請求項３）。
【０００７】
上記いずれかのボルトユニットにおいて、前記嵌入体の後端テーパ部には前記ボルトの後端部に形成した各スリットにそれぞれ嵌入する複数の突条部を形成することができる（請求項４）。
【発明の効果】
【０００８】
本発明のボルトユニットはボルトにナットを螺着した状態で、ボルトの嵌入孔に嵌入体を圧入し、嵌入孔の孔縁部を拡開して塑性変形をするだけでナットの離脱を確実に防止できる。
【０００９】
上記ボルトが後付アンカーボルトの場合、請求項３に記載のように構成すると、嵌入体がナットの離脱防止機能とボルト先端部の拡大機能を兼ねることができる。
【００１０】
上記いずれかのボルトユニットにおいて、請求項４に記載のように、嵌入体の後端テーパ部に前記ボルトの後端面に形成した各スリットにそれぞれ嵌入する複数の突条部を形成する場合は、各スリットから嵌入孔の内部に雨水などが浸水し、該部分に水が滞留することを防止できる。
【発明を実施するための最良の形態】
【００１１】
次に、図面により本発明を実施するための最良の形態を説明する。図１は本発明のボルトユニットを後付アンカーボルトに適用した例を示す図である。本実施形態におけるアンカーボルトユニット１は、後付アンカーボルトからなるボルト２と嵌入体３により構成される。
【００１２】
ボルト２には軸方向に貫通する嵌入孔４が形成され、その先端部の内直径はそれ以外の部分の内直径より小に且つ、先細りのテーパに形成されている。さらに、ボルト２の先端部（下端部）８には複数の短いスリット９が形成される。次に、ボルト２の後端面（上端部）５から軸方向に所定間隔で複数本（例えば４本）の短いスリット７が形成され、そして後端面５から軸方向に向かうボルト外周に外ネジが形成され、その外ネジにナット６が螺着される。
【００１３】
嵌入体３はボルト２の嵌入孔４に嵌入可能な外径を有する軸部１０と、その軸部１０の端部に一体的に設けた頭部１１と、軸部１０から頭部１１に連続する後端テーパ部１３と、ボルト２の先端部８に設けられた先細りの先端テーパ部１２とを有する。
このような構成からなるボルトユニットは、ボルト２にナット６を螺着した後、嵌入体３をボルト２の嵌入孔４に挿入して、組付けた状態で工場から出荷されるのが一般的である。
【００１４】
上記ボルトユニット１は、例えば図１のようなコンクリート層２０に部品や機器を取付けるブラケットやアングル等の取付部材２１を固定するために使用される。
次に、その固定方法を説明すると、先ずコンクリート層２０に取付部材２１を置き、該部材２１の貫通孔を通して取付孔２２を穿設する。続いて、穿設した孔内のコンクリートの切粉を集塵機等で除去する。次に、ボルト２に螺着したナット６をスリット７を越えた適宜の位置までねじ込んでボルト２の埋込み深さを調整する。埋込み深さを調整したボルト２を取付部材２１の貫通孔を通して取付孔２２内に挿入する。
【００１５】
次に、頭部１１をハンマー等の打込み工具で叩いて嵌入体３を所定位置まで打込む。すると図２に示す如く、嵌入体３の先端テーパ部１２がボルト２の先端部８に形成したスリット９を押し広げ、それによってボルト２の先端部８が半径方向に拡大してコンクリート層２０に喰い込む。すなわち上記嵌入体３の打込みによってボルトのアンカー機能が発揮される。
【００１６】
それと共に、上記打込みにより嵌入体３に形成した後端テーパ部１３の傾斜面がボルト２の後端部に設けたスリット７を押し広げ、それによってボルト２の後端部が半径方向に拡大して後端拡大部５ａが形成される。このような後端拡大部５ａが形成されると、ボルト２に螺着したナット６が振動等によって離脱し、またはナット６を悪戯によって離脱させようとしても、ナット６の縁部がその後端拡大部５ａに接してそれ以上の回転が阻止される。すなわち上記嵌入体３の打込みによりナット６の離脱防止機能が発揮される。
【００１７】
次に、図３は本発明のボルトユニットの他の実施形態を示す図である。本実施形態では本発明のボルトユニットを埋込アンカーボルトに適用した例である。このボルトユニット１は埋込アンカーボルトからなるボルト２と嵌入体３により構成され、ボルト２は予めコンクリート層２０に下部が埋め込まれており、外ネジを形成した上部が外部に突出している。
【００１８】
ボルト２には後端面５から軸方向に延長する比較的短い嵌入孔４が形成され、その後端面５から軸方向に所定間隔で複数本（例えば４本）の短いスリット７が形成されている。そしてボルト２の外ネジに一点鎖線で示すナット６が螺着される。嵌入体３はボルト２の嵌入孔４に嵌入可能な直径を有する比較的短い軸部１０と、その軸部１０の端部に一体的に設けた頭部１１を有し、軸部１０から頭部１１に連続する部分の外周は後端テーパ部１３を形成している。
【００１９】
次に図３のボルトユニット１の使用方法について説明する。なおボルト２は図２のようにあらかじめコンクリート層２０に埋め込まれているものとする。先ず、取付部材２１の貫通孔をボルト２の突出部分に挿入した後、ナット６をボルト２の外ネジに螺着締結する。次に嵌入体３を矢印のようにボルト２の嵌入孔４に嵌入し、その頭部１１をハンマー等の打込み工具で叩いて嵌入体３を所定位置まで打込む。
【００２０】
すると嵌入体３に形成した後端テーパ部１３の傾斜面がボルト２のスリット７を押し広げ、ボルト２の後端面５が半径方向に拡大する。このように後端面５が半径方向に拡大すると、ボルト２に螺着したナット６が振動等によって離脱し、またはナット６を悪戯によって離脱させようとしても、その後端拡大部にナット６の縁部が接触して、それ以上の回転が阻止される。すなわち上記嵌入体３の打込みによりナット６の離脱防止機能が発揮される。
【００２１】
次に、図４は本発明のボルトユニットのさらに他の実施形態を示す図である。この実施形態では拡大頭部を有する通常のボルトに本発明のボルトユニット１を適用した例であり、ボルトユニット１はボルト２と嵌入体３により構成される。ボルト２は外ネジを形成した軸部２ａと外周が六角形の拡大頭部２ｂを有し、後端面５から軸方向に延長する比較的短い嵌入孔４が形成され、さらに後端面５から軸方向に所定間隔で複数本（例えば４本）の短いスリット７が形成される。そしてボルト２の外ネジに一点鎖線で示すナット６が螺着される。
【００２２】
嵌入体３はボルト２の嵌入孔４に嵌入可能な比較的短い軸部１０と、その軸部１０の端部に一体的に設けた頭部１１を有し、軸部１０から頭部１１に連続する部分の外周は後端テーパ部１３を形成する。なお図４のボルトユニット１の使用方法は図３の例と同様なので、その説明は省略する。
【００２３】
図５は図１〜図４に示す嵌入体３の変形例を示す図であり、（Ａ）はその要部正面図、（Ｂ）は（Ａ）のＢ−Ｂ断面図である。この嵌入体３が図１〜図４の嵌入体３と異なる部分は, 後端テーパ部１３に前記ボルト２の後端面５に形成した各スリット７に嵌入できる複数の突条部１３ａが形成されている点であり、そのほかは同様に構成される。このように構成した嵌入体３は、その嵌入体３をボルト２の嵌入孔４に打込むと、ボルト２の各スリット７に突条部１３ａが嵌着して、そのスリット７を閉鎖し、嵌入孔４の内部に雨水などが浸水して滞留することによる該部分の錆発生等を防止できる。
【産業上の利用可能性】
【００２４】
本発明のボルトユニットはボルトに螺着するナットの離脱防止を図る場合に利用できる。
【図面の簡単な説明】
【００２５】
【図１】本発明のボルトユニットを後付けアンカーボルトに適用した例を示す図。
【図２】図１に示すボルト２の嵌入孔４に嵌入体３を打込んだ状態を示す図。
【図３】本発明のボルトユニットの他の実施形態を示す図。
【図４】本発明のボルトユニットのさらに他の実施形態を示す図。
【図５】図１〜図４に示す嵌入体３の変形例を示す図。
【符号の説明】
【００２６】
１  アンカーボルトユニット
２  ボルト
２ａ  軸部
２ｂ  拡大頭部
３  嵌入体
４  嵌入孔
５  後端面
５ａ  後端拡大部
６  ナット
７  スリット
８  先端部
９  スリット
１０  軸部
【００２７】
１１  頭部
１２  先端テーパ部
１３  後端テーパ部
１３ａ  突条部
２０  コンクリート層
２１  取付部材
２２  取付孔
【図１】
2005325948.tif 000003
【図２】
2005325948.tif 000004
【図３】
2005325948.tif 000005
【図４】
2005325948.tif 000006
【図５】
2005325948.tif 000007